(57)【特許請求の範囲】
【請求項１】
上流域（Ｇ）に沈殿槽（７）の上水を加え沈水を上の堰板（１）の下方（Ｂ）の開口（Ａ）を潜らせ下の堰板（１）の上方（Ｃ）から漏らす、漏れた沈水を下の堰板（１）の下流域（Ｄ）にポンプの揚水入口（３）を備えて揚水する、ポンプの揚水出口（４）に沈殿槽（７）を設置する、沈殿槽（７）から上流域（Ｇ)までＵ字溝、配管等の副水路（５）を設備して浄化する水路類池類の浄化装置。
【発明の詳細な説明】
【０００１】
【発明の属する技術分野】
本発明は、水路類、池類に堰板（１，１）を並べ、ポンプ設備に沈殿槽（７，７）に副水路（５，５）を設ける。上流域（Ｇ）に沈殿槽（７，７）の上水を送り加え続けて速く循環され速く流し水位を保ち、伴って流れる汚水を浄化する水路類池類の浄化装置に関する。
【０００２】
【従来の技術】
従来の水路類は、汚水がヘドロ層に成り沈積して浅くなり水流、水量はわずかで腐り悪臭が漂っていたのが多かった、水は濁り魚類の生息は殆どなかったのが多かった。  養殖池は、地下水等の利用水量は多く必要で、魚類は生存率よくなく、底に魚類の食べ残し等が汚泥になり沈積していた。
【０００３】
【発明が解決しようとする課題】
従来の水路類、池類の底にあっては、おおかた水平でほとんど流れないので水質は好ましくない、底に汚泥がよく溜り浅くなり、水路類はそのまま河川に海洋へ流して自然破壊している問題点があった。
また、養殖池は地下水等の資源を多く要るので自然破壊になり、資源を多く使っている問題点があった。底に魚類の食べ残し等がヘドロ層になり取り除くとき濁り魚類は死滅する恐れが有ったため、養殖池の機能を中断して魚類は別の容器等に入れ確保していたために手間が多く要する問題点があった。
【０００４】
本発明の水路類、池類の底（９）は、たいてい水平で有っても水流を送り加え続けることにより水量、水圧が多くなり、より速く隅々まで循環されて、速く流れて酸素量を多くして、ヘドロ層をなくし、利用水量は多くして、水質を良くすることにより魚類の生存率を良くするとともに、魚類の生息で浄化を図る事を提供することを目的とする。
そして、沈殿槽（７，７）に汚泥が沈殿するとバキュームカー等により水路類、池類の機能を止めないで容易に排徐する事を提供する事を目的とする。
【０００５】
【課題を解決する手段】
上記の目的を達成するために、本発明の水路類、池類においては、下流域（Ｄ）に堰板（１，１）を備え、上流域（Ｇ）の底（９）より下流域（Ｄ）の底（９）を低くすると良好で、上の堰板（１）の下方（Ｂ）を開口（Ａ）する。下の堰板（１）上方（Ｃ）までの丈を上流域（Ｇ）の溜める水位の位置して、その下の堰板（１）の下流域（Ｄ）にポンプの揚水入口（３，３）を備えて、ポンプの揚水出口（４，４）に沈殿槽（７，７）を備える。その沈殿槽（７，７）を溜める水位より高い位置に設置する。沈殿槽（７．７）から上流域（Ｇ）までＵ字溝、配管の副水路（５，５）を設備する。
【０００６】
【発明の実施の形態】
上記のように構成された水路類、池類の浄化装置は、上の堰板（１）を持ち上げて下方（Ｂ）を開口（Ａ）にする。開口（Ａ）に上流域（Ｇ）の沈水された汚水は潜り、下流域（Ｄ）の上の堰板（１）と下の堰板（１）の間隔に沈水が浮上する。浮上した汚水は下流域（Ｄ）の下の堰板（１）の上方（Ｃ）から漏れ。漏れた汚水は下の堰板（１）の下流域（Ｄ）にポンプの揚水入口（３，３）から揚水出口（４，４）に沈殿槽（７，７）まで揚水する。汚物は沈殿槽（７，７）で沈殿して、沈殿槽（７，７）の上水を循環入口（Ｅ，Ｅ）から上流域（Ｇ）の循環出口（Ｆ，Ｆ）まで流れ続け沈水は循環され、汚水は沈殿槽（７，７）に枕降され浄化する。沈殿槽（７，７）がヘドロ層に成ると片方のポンプを止めて、汚泥をバキュームカー等で排除する。または余り水は水路類は自然に水路の下方へ漏れ流れる。養殖池等は余り水を沈殿槽（７，７）からバキューム装置等で排泄する。
【０００７】
【実施例】
実施例について図面を参照して説明すると、図１の水路に下流域（Ｄ）にゲート（２，２）を設ける。そのゲート（２，２）に堰板（１，１）を設置、上のゲート（２）のハンドル（１０）を回して上の堰板（１）の下方（Ｂ）を開口（Ａ）する。
下流域（Ｄ）の横岸（８，８）に棚橋（１３）を架けてポンプを二機設備し、下の堰板（１）の上方（Ｃ）の丈を溜める水位の位置にする。ポンプの揚水入口（３，３）を下の堰板（１）の下流域（Ｄ）に設け、下流域（Ｄ）の両横岸（８，８）に沈殿槽（７，７）を溜める水位より高い位置に設けて揚水出口（４，４）を備え、沈殿槽（７，７）の循環入口（Ｅ，Ｅ）から上流域（Ｇ）の両横岸（８，８）の循環出口（Ｆ，Ｆ）までＵ字溝の副水路（５，５）を設備する。洪水時等はハンドル（１０，１０）を回し堰板（１，１）を持ち上げ対処する。
【０００８】
図２の養殖池は、下流域（Ｄ）に堰板（１，１）を設置する。堰板（１，１）の両方横に突起した肩（１１，１１，１１，１１）を備える。上の堰板（１）の肩（１１，１１）下に楔台（１２，１２）を敷き開口（Ａ）する。
そして、下の堰板（１）の上方（Ｃ）を溜める水位の位置にする。下の堰板（１）の下流域（Ｄ）に揚水入口（３，３）を備えて、後岸（８）にポンプを二機設備して、その後岸（８）に沈殿槽（７，７）を養殖池の水位より高い位置に設けて揚水出口（４，４）を備える。その沈殿槽（７，７）の循環入口（Ｅ，Ｅ）にポンプ設備をして上流域（Ｇ）の上岸（８）の循環出口（Ｆ，Ｆ）まで配管の副水路（５，５）を設備する。
【０００９】
【発明の効果】
本発明は、以上に説明したように構成されているので、以下に記載されるような効果を奏する。
【００１０】
本発明は、例えば汚水を水路に流しても蓄積される事なく水位を保ち次第に澄み切った水流になり汚水を河川、海洋に流すことなく利用できる。また、沈殿槽（７）を高い長距離の位置に設けると良好になり沈下水は速く循環して速く流れ続、酸素は多くなり、汚泥の沈殿物は沈殿槽（７）で沈殿して浄化される。そして、片方の沈殿槽（７）に汚水を送るのを休め、水路類、池類の機能を中断する事なくバキュームカー等で容易に取り除く事が出来いつも隅々まで循環されて流れは続く。そして、肥料となる汚物は採集することが出来て優れている。
【００１１】
養殖池においては水流が速く流れ、魚類の生存率はよくなるとともに数を多く養殖できて、魚類は運動するので、食欲は良くなり、魚体が大きくなるのが早く、身は締り天然物の変わらぬ味になり、利用水量は少なくてすむので使う資源は少量、自然破壊は減少する効果ある。水路類では少ない雨、家庭等から出る雑水で魚類を養殖できて、魚類の生存で浄化する効果があり、元の水路類が浄化されると河川等が浄化されて美化する。
【００１２】
さらに、沈殿槽（７）を並べて上水をポンプ設備で高所で長距離にある上流域（Ｇ）に送る事が望ましい。または沈殿槽（７）を高所の長距離の上流域（Ｇ）に設けてポンプ設備で沈下水を送ると、浄化機能が可能であるので、他の農業用水等に利用できて、河川海洋へ流すことなく利用できるので自然破壊は減少、資源は減少に成らない効果になる。
また、短い距離の副水路（５）で沈殿槽（７）の上水は水面を上流域（Ｇ）に向かって速く流れて効果を発揮する利点もあり設備削減になる。ポンプ設備で多く送ると沈下水は速く流れ、速く循環して水位はいつも安定している利点がある。
【図面の簡単な説明】
【図１】水路の斜視図。
【図２】養殖池の斜視図。
【符号の説明】
１：堰板                          １４：ポンプカバー
２：ゲート                        １５：ネジ棒
３：揚水入口                      １６：歯車
４：揚水出口                      １７：軸受
５：副水路                        Ａ：開口
６：溝                            Ｂ：下方
７：沈殿槽                        Ｃ：上方
８：岸                            Ｄ：下流域
９：底                            Ｇ：上流域
１０：ハンドル                    Ｅ：循環入口
１１：肩                          Ｆ：循環出口
１２：楔台                        Ｈ：水溜め
１３：棚橋
【図１】
0003987461.tif 000002
【図２】
0003987461.tif 000003